(57)【特許請求の範囲】
【請求項１】
エンジン（１０）の制御を実施する第１制御装置（３０）と、エンジン回転速度情報及びエンジン負荷情報に基づいて、前記エンジンとは異なる車載装置（１２，１９）の制御を実施する第２制御装置（３１，３２）と、これらの制御装置を通信可能とする通信手段（５１，５２）とを備え、前記第１制御装置が前記通信手段を介して前記エンジン回転速度情報及び前記エンジン負荷情報を前記第２制御装置に送信する車両制御システムに、各前記制御装置とは別体で設けられ、
前記エンジンの回転により発電する発電装置（２２）の制御を実施する発電制御装置（３３）であって、
前記通信手段が接続されており、前記第１制御装置から前記通信手段を介して、前記第２制御装置に入力されるものと共通の前記エンジン回転速度情報及び前記エンジン負荷情報が入力され、
前記エンジン回転速度情報及び前記エンジン負荷情報に基づいて、前記エンジンが燃焼休止の状態であり、かつ前記発電装置が回生発電可能な状態であることを判定する判定手段と、
前記判定手段による判定結果に基づいて、前記発電装置の発電を制御する発電制御手段と、を備えることを特徴とする発電制御装置。
【請求項２】
車両のエンジン（１０）の制御を実施するエンジン制御装置（３０）と、エンジン回転速度情報に基づいて前記車両の自動変速装置（１２）の制御を実施するトランスミッション制御装置（３１）と、エンジン負荷情報に基づいて前記車両のブレーキ（１９）の制御を実施するブレーキ制御装置（３２）と、前記エンジン制御装置と前記トランスミッション制御装置とを通信可能とする第１通信手段（５１）と、前記エンジン制御装置と前記ブレーキ制御装置とを通信可能とする第２通信手段（５２）と、を備え、前記エンジン制御装置が、前記第１通信手段を介して前記エンジン回転速度情報を前記トランスミッション制御装置に送信し、前記第２通信手段を介して前記エンジン負荷情報を前記ブレーキ制御装置に送信する車両制御システムに、各前記制御装置とは別体で設けられ、
前記エンジンの回転により発電する発電装置（２２）の制御を実施する発電制御装置（３３）であって、
前記第１通信手段及び前記第２通信手段が接続されており、前記エンジン制御装置から前記第１通信手段を介して、前記トランスミッション制御装置に入力されるものと共通の前記エンジン回転速度情報が入力され、前記エンジン制御装置から前記第２通信手段を介して、前記ブレーキ制御装置に入力されるものと共通の前記エンジン負荷情報が入力され、
前記エンジン回転速度情報及び前記エンジン負荷情報に基づいて、前記エンジンが燃焼休止の状態であり、かつ前記発電装置が回生発電可能な状態であることを判定する判定手段と、
前記判定手段による判定結果に基づいて、前記発電装置の発電を制御する発電制御手段と、を備えることを特徴とする発電制御装置。
【請求項３】
前記車載装置として又は前記トランスミッション制御装置により制御される車載装置として前記エンジンの回転軸と車軸との契合及び非契合を切り替えるクラッチ装置（１３）を備えるとともに、前記第２制御装置又は前記トランスミッション制御装置が、車速に基づいて前記クラッチ装置の切り替えを制御する車両制御システムに適用され、
前記発電制御手段は、前記エンジン負荷情報が、前記車両が減速状態から非減速状態になったことを示す場合、又は前記エンジン回転速度情報が、前記クラッチ装置が契合状態から非契合状態になったことを示す場合に、前記発電装置の発電を停止させる請求項１又は２に記載の発電制御装置。
【発明の詳細な説明】
【技術分野】
【０００１】
本発明は、車両に搭載された発電機を制御する発電制御装置に関する。
【背景技術】
【０００２】
従来、車両に搭載された発電機を制御するものとして、特許文献１に記載の発電制御装置がある。特許文献１に記載の制御装置では、第１制御装置がエンジンの回転数及びアクセル開度を取得し、第１制御装置が車両の走行状態に基づいて回生発電を行うか否かの判定を行っている。一方、発電制御装置は、第１制御装置から回生発電を行うか否かの指令を受け、その指令に基づいて発電機を制御している。
【先行技術文献】
【特許文献】
【０００３】
【特許文献１】特開２００６−１８２２７４号公報
【発明の概要】
【発明が解決しようとする課題】
【０００４】
特許文献１に記載の発電制御装置は、第１制御装置からの指令に基づいて回転電機を制御するものである。そのため、第１制御装置が回生発電を行うか否かの判定を行う機能を有していないものであれば、当然、発電制御装置では回転電機の制御を行うことができない。そのため、特許文献１に記載された発電制御装置を車両に搭載する場合には、第１制御装置には回生発電を行うか否かの判定を行う機能を付加する必要が生ずる。
【０００５】
本発明は、上記課題を解決するためになされたものであり、その主たる目的は、エンジンの制御を行う第１制御装置が発電装置の制御についての指示を行う機能を有していないものであっても、発電装置を制御することが可能な発電制御装置を提供することにある。
【課題を解決するための手段】
【０００６】
本発明は、エンジンと、前記エンジンへ供給される空気量を示すアクセル開度情報と、前記エンジンの回転軸の回転数を示す回転数情報とを取得し、そのアクセル開度情報と回転数情報とに基づいて前記エンジンを制御する主制御装置と、前記エンジンの前記回転軸に接続された発電装置と、を備える車両に搭載され、前記発電装置を制御する発電制御装置であって、前記主制御装置から前記アクセル開度情報及び前記回転数情報を取得する取得手段と、前記取得手段が取得した前記アクセル開度情報及び前記回転数情報に基づいて、前記発電装置を制御する制御手段と、を備えることを特徴とする。
【０００７】
第２制御装置は、第１制御装置からエンジン回転速度情報及びエンジン負荷情報を入力し、それらの情報に基づいて車載装置の制御を実施し、発電制御装置も同様に第１制御装置からエンジン回転速度情報及びエンジン負荷情報を入力し、それらの情報に基づいて発電装置の発電制御を実施する。この場合、発電制御装置では、これ以外の第２制御装置と共通の送信情報に基づいて発電制御を実施することができる。つまり、発電制御装置では、第１制御装置から発電の実施及び停止に関する直接的な指令を受けなくても、第２制御装置と同様のエンジン回転速度情報やエンジン負荷情報といった汎用的な情報に基づいて発電制御を実施できる。
【０００８】
その結果、第１制御装置が発電装置の制御についての指示を行う機能を有していないものであっても、発電制御装置により発電装置を制御することできる。
【図面の簡単な説明】
【０００９】
【図１】実施形態に係る発電制御装置を備える車両制御システムの概略構成を示す図である。
【図２】発電制御装置が実行する処理を示すフローチャートである。
【図３】実施形態に係る制御を行った場合のタイムチャートである。
【発明を実施するための形態】
【００１０】
以下、本発明を具体化した実施形態を図面に基づいて説明する。本実施形態に係る発電制御装置は、エンジンを駆動源とする車両に搭載されている。その発電制御装置を備える車両制御システムの概略構成を図１に示す。
【００１１】
図１において、エンジン１０は例えば多気筒ガソリンエンジンであり、図示しないインジェクタや点火装置（イグナイタ等）等を備えている。エンジン１０のクランク軸１１には自動変速装置１２が接続されている。自動変速装置１２は、ロックアップクラッチ１３及び自動変速機１４を備えており、都度設定される変速比によりクランク軸１１の回転力を変速して出力軸１５に伝達する。
【００１２】
ロックアップクラッチ１３は電磁クラッチ又は油圧クラッチにより構成されており、制御指示に従って切替手段として機能し、契合状態と非契合状態とが切り替えられる。ロックアップクラッチ１３が契合状態であれば、ロックアップクラッチ１３を介して、クランク軸１１と出力軸１５との間で動力の伝達が可能であり、ロックアップクラッチ１３が非契合状態であれば、ロックアップクラッチ１３を介する、クランク軸１１と出力軸１５との間での動力の伝達は行われない。自動変速機１４は、多段式の自動変速機構であり、遊星歯車や、遊星歯車の回転軸を断続するクラッチ機構等によって構成されており、制御指示に従って変速段を切り替える。
【００１３】
出力軸１５には、ディファレンシャルギア１６を介して車軸１７が接続されており、その車軸１７には、車輪１８が接続されている。また、車輪１８には、図示しない油圧回路等により駆動されることで各車輪１８に対して制動力を付与するブレーキ１９が設けられている。
【００１４】
加えて、クランク軸１１には、複数のプーリ及びベルト等により構成される回転伝達機構２１を介して、発電装置である交流発電機２２が接続されている。この交流発電機２２は、複数の素子を備えた周知の発電機であるため、その具体的な構成については省略する。クランク軸１１が回転すると、その回転動力が回転伝達機構２１を介して交流発電機２２に伝達される。このとき、交流発電機２２が備える素子に対して、発電を行うための制御が行われていれば、交流発電機２２では交流電圧が誘起される。その交流電圧は交流発電機２２で直流電圧へと変換され、バッテリ２３へと供給される。
【００１５】
バッテリ２３は、例えば端子電圧が１２Ｖの鉛バッテリであり、蓄積された電力により、車両に備えられた電子機器等へ電力を供給したり、車両の始動時に、図示しないスタータモータへ電力を供給したりする。
【００１６】
エンジン１０のインジェクタ及びイグナイタは、第１制御装置であるエンジンＥＣＵ３０により制御される。エンジンＥＣＵ３０は、周知の通りＣＰＵ、ＲＯＭ、ＲＡＭ等よりなるマイクロコンピュータを主体として構成され、ＲＯＭに記憶された各種の制御プログラムを実行することで、エンジン１０を制御する。
【００１７】
具体的には、エンジンＥＣＵ３０は、アクセルポジションセンサ４１からアクセル操作情報を取得し、クランク角センサ４２からはパルス信号を取得する。アクセル操作情報は、車両の運転者によるアクセルの操作量を示す情報であり、エンジンＥＣＵ３０はそのアクセル操作情報について演算処理を行うことにより、アクセル開度情報を得る。アクセル開度情報は、エンジン１０の負荷を表す情報であるため、エンジン負荷情報ということもできる。一方、クランク角センサ４２から取得するパルス信号について、エンジンＥＣＵ３０が演算処理を行うことにより、クランク軸１１の単位時間当たりの回転数を表す回転数情報、及び、回転角を表す回転角情報を求める。この回転数情報は、エンジン１０のクランク軸１１の回転速度も表しているため、エンジン回転速度情報ということもできる。
【００１８】
エンジンＥＣＵ３０は、得られたアクセル開度情報に基づいて、エンジン１０の吸気経路に設けられたスロットルバルブの開度、及び、インジェクタから供給する燃料の量を演算する。また、回転数情報及び回転角情報に基づいて、インジェクタからの燃料の供給タイミング、及び、イグナイタによる点火タイミングを演算する。また、そのアクセル開度情報に基づいて、そして、算出した供給タイミング及び点火タイミングにより、エンジン１０を制御する。
【００１９】
加えて、エンジンＥＣＵ３０は、通信手段として機能する第１通信回線５１及び／又は第２通信回線５２を介して、第２制御装置である下位のＥＣＵと通信可能に接続されている。下位のＥＣＵとしては、ブレーキ１９を制御するブレーキＥＣＵ３１、及び、自動変速装置１２を制御するトランスミッションＥＣＵ３２が挙げられる。これら下位のＥＣＵへは、第１通信回線５１を介してアクセル開度情報が送信され、第２通信回線５２を介して回転数情報が送信される。
【００２０】
ブレーキＥＣＵ３１は、取得したアクセル開度情報に基づいて、車軸１７の回転に対するエンジンブレーキによる減速トルクを推定する。そして、運転者によりブレーキ操作が行われている場合に、エンジンブレーキによる減速トルクとブレーキ操作によると減速トルクにより、車輪１８のロックが生じると判断された場合には、ブレーキ１９による減速トルクを弱める制御を行う。
【００２１】
トランスミッションＥＣＵ３２は、取得したアクセル開度情報と回転数情報とに基づき、最適な減速比となるように、変速段の切り替えを行う。また、トランスミッションＥＣＵ３２には、車速センサ４３から第３通信回線５３を介して、車両の速度（車速Ｖ）を示す車速情報が入力される。なお、車速情報はエンジンＥＣＵ３０を介して入力されてもよく、エンジンＥＣＵ３０以外の、他の上位のＥＣＵを介して入力されてもよい。
【００２２】
トランスミッションＥＣＵ３２は、取得した車速情報とアクセル開度情報とに基づいて、ロックアップクラッチ１３を契合状態とするか、非契合状態とするかを判定する。アクセル開度情報が、アクセルが全閉であることを示しており、且つ車速Ｖが車速閾値Ｖｔｈを下回っていれば、車両は惰性で走行しており、且つ、停止寸前であるといえる。この状態でロックアップクラッチ１３を契合状態としていれば、車軸１７の回転が停止することに起因して、エンジン１０が停止するおそれがある。そのため、ロックアップクラッチ１３を非契合状態とし、車軸１７の減速力がエンジン１０の回転軸に伝わらないようにする。
【００２３】
なお、下位のＥＣＵとしてブレーキＥＣＵ３１とトランスミッションＥＣＵ３２を挙げたが、下位のＥＣＵはこれらに限られず、車両に設けられた各種機器を制御する、その他のＥＣＵ等の制御装置が設けられていてもよい。また、ブレーキＥＣＵ３１及びトランスミッションＥＣＵ３２へは、回転数情報及び／又はアクセル開度情報に限られず、その他の情報が入力されてもよく、ブレーキＥＣＵ３１及びトランスミッションＥＣＵ３２で行われる制御は、上述したものに限られず、その他の制御を行うものとしてもよい。
【００２４】
加えて、本実施形態では、エンジンＥＣＵ３０から送信されるアクセル開度情報及び回転数情報は、下位のＥＣＵに加えて、第１通信回線５１及び第２通信回線５２を介して発電制御装置３３にも入力される。そして、発電制御装置３３が、入力されたアクセル開度情報及び回転数情報に基づいて交流発電機２２により発電を行うか否かを判定し、発電を行うと判定した場合には、交流発電機２２を制御して発電を行い、バッテリ２３へ充電する。
【００２５】
図２は、発電制御装置３３が実行する一連の処理を示すフローチャートである。このフローチャートに係る処理は所定の制御周期毎に繰り返し実行される。
【００２６】
まず、エンジンＥＣＵ３０から取得したアクセル開度情報に基づき、アクセルが全閉であり、エンジン１０が燃料休止の状態であるか否かを判定する（Ｓ５１）。これは、車両の運転者によるアクセル操作が行われておらず、車両が惰性で走行している状態であるか、若しくは、車両が停止している状態であることを示している。なお、Ｓ５１の判定では、アクセル開度情報が数値で表されるものであれば、その値は完全にゼロである必要はなく、アクセルが全閉であると認められる値を用いればよい。
【００２７】
アクセルが全閉である判定されると（Ｓ５１：ＹＥＳ）、続いて、エンジンＥＣＵ３０から取得した回転数情報に基づき、クランク軸１１の回転数Ｎｅが、回転数閾値Ｎｔｈよりも大きいか否かを判定する（Ｓ５２）。このとき、回転数Ｎｅが回転数閾値Ｎｔｈよりも大きければ（Ｓ５２：ＹＥＳ）、クランク軸１１と出力軸１５とは、ロックアップクラッチ１３を介して接続されており、クランク軸１１へは出力軸１５の回転が伝達されている状態である。そのため、回生発電可能と判定し、交流発電機２２を制御することにより回生発電を実行し（Ｓ５３）、バッテリ２３への充電を行う。
【００２８】
一方、回転数Ｎｅが回転数閾値Ｎｔｈ以下である場合（Ｓ５２：ＮＯ）、クランク軸１１と出力軸１５とは、ロックアップクラッチ１３により接続されておらず、クランク軸１１がエンジン１０のアイドリングに基づく回転数Ｎｅで回転していることを意味する。この場合に回生発電を行えば、回転数Ｎｅがさらに低下し、それによりエンジン１０が停止するおそれがある。そのため、回生発電を行わず（Ｓ５４）、一連の処理を終了する。
【００２９】
加えて、アクセルが全閉でないと判定された場合（Ｓ５１：ＮＯ）、運転者によりアクセルが踏み込まれていることを意味する。このときに回生発電を行えば、クランク軸１１において必要なトルクを得られないおそれがあるため、この場合においても回生発電を行わず（Ｓ５４）、一連の処理を終了する。なお、バッテリ２３の容量が低下していれば、車両の定速走行時等において交流発電機２２を駆動し、バッテリ２３への充電を行うものとしてもよい。
【００３０】
なお、発電制御装置３３は、Ｓ５１及びＳ５２において判定手段として機能し、Ｓ５３及びＳ５４において、判定手段の判定結果に基づく制御を行う発電制御手段として機能するといえる。
【００３１】
続いて、本実施形態に係る制御を行った場合のタイムチャートを、図３に示す。なお、図３では、運転者によるブレーキ操作が行わない状態で、車両が減速する例を示している。
【００３２】
まず、時刻ｔ１までは、アクセル開度が一定であり、それに伴い回転数Ｎｅも一定であるため、車速Ｖが一定値となっている。時刻ｔ１において、運転者によるアクセル操作が行われなくなると、エンジン１０は燃焼休止状態となり、回転数Ｎｅは減少に転じる。このとき、クランク軸１１と出力軸１５とは、ロックアップクラッチ１３を介して接続されており、回転数Ｎｅは、車輪１８の回転に基づくものとなる。ゆえに、発電制御装置３３は、回生発電を行うとの判定を行い、交流発電機２２へ制御信号を送信する。そして、交流発電機２２では回生発電が行われる。
【００３３】
続く時刻ｔ２において、車速Ｖが車速閾値Ｖｔｈを下回れば、トランスミッションＥＣＵ３２によりロックアップクラッチ１３が非契合状態とされ、回転数Ｎｅは回転数閾値Ｎｔｈを下回る。そのため、発電制御装置３３は回生発電を行わないと判定し、交流発電機２２では回生発電が行われない。このとき、クランク軸１１と出力軸１５とが接続されていないため、時刻ｔ２以降の車速Ｖの減少量は主に摩擦力に起因するものとなる。したがって、時刻ｔ２以降の車速Ｖの減少量は、時刻ｔ１から時刻ｔ２にかけての減少量よりも小さいものとなる。
【００３４】
ところで、発電制御装置３３は、ロックアップクラッチ１３が非契合状態となり、それにより、回転数Ｎｅが回転数閾値Ｎｔｈを下回ることを条件に、回生発電を行わないものとしている。そのため、時刻ｔ２においてロックアップクラッチ１３が非契合状態とされてから、発電制御装置３３が回生発電を行わないと判定して、交流発電機２２における回生発電が終了するまでにタイムラグが生ずる。そのため、回転数Ｎｅが一時的にアイドリング回転数を下回った後、時刻ｔ３において交流発電機２２における発電が終了し、回転数Ｎｅは回転数閾値Ｎｔｈよりも小さいアイドリング回転数となる。
【００３５】
なお、図３では、車両が減速して停止するまでの例を示しているが、図２のフローチャートで示した通り、車両が減速状態であるときに運転者によりアクセル操作が行われ、車両が非減速状態となった場合には、回生発電は停止される。
【００３６】
上記構成により、本実施形態に係る発電制御装置３３は、以下の効果を奏する。
【００３７】
・発電制御装置３３は、上位のＥＣＵであるエンジンＥＣＵ３０からアクセル開度情報と回転数情報とを取得することにより、回生発電を行うか否かを判定している。このアクセル開度情報及び回転数情報は、ブレーキＥＣＵ３１やトランスミッションＥＣＵ３２等の、他の下位のＥＣＵにおいても用いられるものである。そのため、エンジンＥＣＵ３０が回生発電を行うか否かを判定する手段を備えていなくても、発電制御装置３３により回生発電の制御を行うことができる。
【００３８】
・回生発電を行うか否かの判定を、アクセルが全閉であり、且つ、クランク軸１１の回転数Ｎｅが回転数閾値Ｎｔｈよりも大きいことを条件としている。そのため、運転者の意思による車両の加速時等、エンジン１０により大きなトルクが要求される場合では、交流発電機２２による発電を抑制することができる。一方、クランク軸１１と出力軸１５とが接続されておらず、クランク軸１１がアイドリング回転数で回転している状態では、交流発電機２２による発電を行わないことにより、エンジン１０の停止を抑制することができる。
【００３９】
＜変形例＞
・上記実施形態では、アクセル開度情報と回転数情報とを用いて回生発電を行うか否かを判定しているが、回生発電を行うか否かを、車速Ｖ等をも用いて判定してもよい。
【００４０】
・上記実施形態では、エンジン回転速度情報として回転数情報を採用しているが、回転数以外の、エンジン１０のクランク軸１１の回転速度を表す情報を採用してもよい。また、エンジン負荷情報としてアクセル開度情報を採用しているが、エンジン１０の吸気経路に設けられたスロットルバルブの開度を示す情報を、エンジン負荷情報として採用してもよい。
【００４１】
・上記実施形態では、自動変速装置１２がクラッチ装置としてロックアップクラッチ１３を備えるものとしているが、ロックアップクラッチ１３を備えず、他のクラッチ装置である流体クラッチ等の動力伝達手段により、クランク軸１１と自動変速機１４とを接続してもよい。
【００４２】
・上記実施形態では、運転者により車両が運転操作されるものとしているが、車両の運転操作の少なくとも一部を制御装置により自動的に行うものとしてもよい。
【符号の説明】
【００４３】
１０…エンジン、１２…自動変速装置、１９…ブレーキ、２２…交流発電機、３０…エンジンＥＣＵ、３１…ブレーキＥＣＵ、３２…トランスミッションＥＣＵ、３３…発電制御装置。
【図１】
0006507697.tif 000002
【図２】
0006507697.tif 000003
【図３】
0006507697.tif 000004